(57)【要約】      （修正有）【課題】雨が降り、水が流れてきても薬の効果が保たれる薬剤入り粘土板を提供する。【解決方法】幼若ホルモンとして作用し、蛹化、成虫化の変態阻害作用などにより、殺虫効果を発揮するピリプロキシフェンの粒１を水に溶かして溶液として、粘土２に混合、吸着させて和菓子状の薄い粘土板３をつくり、その粘土板３を小さく切って、蚊が産卵する水たまりの中へ入れておくと、長時間にわたり、徐々に粘土板の中の薬が水に溶けてゆく効果がある。【選択図】図１
0003206067.tif 000002
【実用新案登録請求の範囲】
【請求項１】
幼若ホルモンとして作用し、蛹化、成虫化の変態阻害作用などにより、殺虫効果を発揮するピリプロキシフェンの粒を水に溶かして溶液として、粘土に混合、吸着させて和菓子状の薄い粘土板をつくり、その粘土板を小さく切って、蚊が産卵する水たまりの中へ入れておくと、長時間にわたり、徐々に粘土板の中の薬が水に溶けてゆく効果があり、雨が降り、水が流れてきても薬の効果が保たれることを特徴とする、蚊を撲滅する薬剤入り粘土板。
【請求項２】
幼若ホルモンとして作用し、蛹化、成虫かの変態阻害作用などにより、殺虫効果を発揮するピリプロキシフェンの粒を水に溶かして溶液として、粘土に混合、吸着させて和菓子状の薄い粘土板をつくり、その粘土板を小さく切って、その板をヒモの先端がＳ字状の金具や、丸状のヒモを付けたメッシュ状の網袋の中に入れて、蚊が産卵する水たまりの中へ入れておくと、長時間にわたり、徐々に粘土板の中の薬が水に溶けてゆく効果があり、雨が降り、水が流れてきても薬を混入した粘土板が流されずに薬の効果が保たれることを特徴とする、蚊を撲滅する薬剤入り粘土板。
【考案の詳細な説明】
【技術分野】
【０００１】建物の外部にある水が溜まった枡や会所、側溝、防火用水などのバケツ、植木鉢の受け皿などの容器やよどんだ小さな池や川に蚊が産卵してボウフラを産むのを防ぐことに関するものである。
【背景技術】
【０００２】枡や会所、側溝、防火用水などのバケツ、植木鉢の受け皿、よどんだ小さな池やドブ川などに蚊の進入を防止する装置は存在しないが、消費者が自分の意志で網を加工して、枡、会所や側溝の上蓋の下に網を敷いたりして蚊の進入を防止する。また、水が入った防火水用バケツ、植木鉢の集合体、植木鉢の受け皿、よどんだ小さな池やドブ川には板、布や網をかぶせたりする。また、蚊を殺したりする薬品や装置、蚊が嫌う匂いを分散させて寄せ付けない装置や人体の周りを囲って蚊が近づかない装置や薬品は存在する。
【先行技術】
【０００３】蚊が幼生（ボウフラ）から、成虫になる課程を阻害する幼若ホルモン、類縁体、「ピリプロキシフェン」配合の昆虫成長制御剤が徐々に水に溶けてゆき、蛹化や、成虫化の変態阻害作用で殺虫効果を発現する、哺乳類、魚類、その他の有用動物に対する安全性が確認されている薬品は存在する。更に、ＷＨＯ（世界保健機構）をはじめ、世界の公的機関が予防策に推奨している、無色の結晶体の「ペルメトリン」を服の繊維に固着さす方法や虫が嫌がる天然のアロマ精油を衣服にふきつけるスプレーなどがある。更に、昆虫趨光性を利用して高電圧で殺虫する装置や、薬品を噴霧させて蚊を死滅させる方法が取られている。また、蚊が嫌う匂いを分散させて、寄せ付けない装置や機器は多数にあるが、蚊の発生にたいしてはほとんど無効である。よくある蚊の対策製品としては次のようなものがある。
１、電撃殺虫灯
２、超音波式虫除けバンダナ
３、香取線香
４、水たまりや小さい池に金魚や小魚をかっておき、蚊の幼虫のボウフラを食べさせる。
５、水の入った容器に蓋をかぶせる。または、ひっくり返して水を出しておいてボウフラを産まないようにする。
６、殺虫剤を撒く。しかし、幼児などの人体に危険を及ぼす可能性がある。
７、蚊帳を居間や寝室につる。昔は夏になると寝る時は吊っておき蚊が入るのを防いでいた。今はアフリカなどで使用されている。
８、最近、ボウフラから成虫への変態を止める、昆虫の生理性物質、幼若ホルモン類縁体であるピリプロキシフェンの発泡体の固体として開発されている。頼めば各都道府県の市役所で公園の水たまりや側溝などに撒いてくれて効果が出ているところもある。しかし、雨が降って水が流れていくと、薬が流されて無効となる。
９、ハーブによる虫除けバンダナ
▲１▼、殺虫効果が未完成
▲２▼、忌避剤で、しかも局所以外は防御できない。
▲３▼、散歩などの移動中は防御できないといった状況が考えられ、蚊に刺されることを減らすことができても完全に駆除はできない。
【考案の概要】
【０００４】家の周りの蚊が産卵する水たまり、例えば、雨水枡、会所、トユの集水器、側溝、植木鉢、植木鉢の受け皿、防火水用などのバケツや小さなよどんだ池やドブ川など水の溜まったところは多い。その水に蚊がボウフラを生み、成虫するのを防ぐために、本考案は蚊の幼虫であるボウフラに幼若ホルモンとして作用し、蛹化、成虫化の変態阻害作用により、成虫の発生をおさえるピリプロキシフェンの溶液と粘土を混合させて、薬剤を含んだ和菓子状の粘土板をつくり、そのまま水たまりに投入する。または、ヒモを付けたメッシュ状の網袋の中へ入れて水たまりに吊るしておくと、雨が降って水が流れても薬効が徐々に効いてきて時間がたっても効果が持続できて、蚊が発生しないことを特徴とする、蚊を撲滅する薬剤入り粘土板。
【考案が解決しようとする課題】
【０００５】今、地球は温暖化により、日本だけでなくアジア、ヨーロッパ、中南米、中東などのすべてのところで蚊が猛烈に発生して増加している。蚊の一種はマラリア、日本脳炎、西ナイル熱、チキングニア熱や昨夏、私たちを恐怖させたデング熱、そして、今はブラジルを中心に、南米や中米で急速に広がっているジカ熱などのいろいろな病気を媒介する。これを防ぐためにボウフラを生み、蚊を発生さすいろいろな水たまりをなくし、蚊が水たまりに進入しても殺す方法を考えて実行しなければならない。その地道な努力をしなければ人類はやがて多くの病気を抱えることとなる。【０００６】雨が降り、水量が増すと薬が水に溶けたり、流されたりして薬の効果が減退する。そこで雨が降っても、長時間にわたり薬の効果が発現するものが必要である。
【考案を解決するための手段】
【０００７】粘土は日本のどこにでもある。その粘土に幼若ホルモン類縁体であるピリプロキシフェン配合の昆虫成長制御剤を溶かした溶液を浸透、混合させて一体化にして、和菓子状の厚み、１０ミリ前後、大きさ、２〜３×３〜１０センチの板状にする。０．００５ＰＰＭのピリプロキシフェンを含んだ１錠分を溶かした液で粘土板、１個をつくる。その粘土板を直接に水たまりに１〜数１０個入れる。または、ヒモの付いたメッシュ状の網袋の中に１〜数１０個入れておき、水たまりに吊るしておく。ヒモの効果で雨が降って、水流があっても流されずに長時間にわたり、薬の効果を発揮することができる。常に水が溜まっている雨水枡、会所や側溝などの水たまりは約３〜５リットルまでであり、３〜５グラムの薬で十分の効果が見込まれる。なお、小さな水がよどんだ池やドブ川は数１０個の本考案を投入したり、メッシュ状の網袋の中へ数多く入れたり、網袋を多くすることで解決する。なお、このピリプロキシフェンは哺乳動物や魚などに対する安全性が確認されており、いくら投入しても環境汚染にはならない。雨が降って水が流れても、板状の粘土の中にある薬が徐々に溶けて、薬の効果を長時間にわたり発現できて、蚊が発生しない。
【考案の効果】
【０００８】蚊が産卵する水たまり、例えば雨水枡、会所、側溝、トユの集水器、防火用水などのバケツ、植木鉢、植木鉢の受け皿、よどんだ小さな池やドブ川などの水たまりに本考案を入れておくことにより、雨が降り、水が流れても蚊の発生を抑えることができる。蚊が媒介する諸種の病気の発生を防ぐことができるとともに、蚊に刺されて惹起される不快な痒感を避けられる効果がある。医学的にも、人間の生活上にも、人類の存続のためにも、多大な効果が期待できる。
【図面の簡単な説明】
【０００９】
【図１】正面図
【図２】側面図  （１）右  （２）左
【図３】（１）上からの図、（２）下からの図
【図４】枡、会所に入れた図
【図５】側溝に入れた図
【図６】植木鉢の受け皿に入れた図
【図７】小さい池、川に入れた図
【図８】網袋の図、（１）正面図  （２）側面図  （３）上からの図  （４）下からの図
【図９】薬を混合した粘土板を網袋に入れた図、（１）ヒモの先端を丸状にした場合（２）ヒモの先端をＳ字金具にした場合
【符号の説明】
【００１０】▲１▼薬剤、ピリプロキシフェン
▲２▼粘土
▲３▼ピリプロキシフェン入りの粘土板
▲４▼網袋、
▲５▼網袋のヒモ
▲６▼水たまり
▲７▼枡、会所
▲８▼枡、会所の上蓋の穴
▲９▼側溝
▲１０▼植木鉢の受け皿
▲１１▼小さい池、
▲１２▼小さなドブ川
▲１３▼網袋のヒモの先端部分、Ｓ字金具、
▲１４▼網袋のヒモの先端部分、丸状のヒモ
▲１５▼草木
【考案を実施するための形態】
【００１１】１、枡、会所に入れる場合；  建物の周りにはトユや他からの枡や会所から流れてくる雨水枡や会所の底には常に水がある。枡、会所の上蓋をはずして本考案を投入する。または、上蓋の穴から本考案を入れた網袋を水の中へ吊るす。この場合上蓋の側面や穴に本考案のヒモの端が来るようにセットをして、ヒモが外れないようにする。縦１１０ｃｍ×横１１０ｃｍ×水深２８ｃｍの場合は本考案の粘土板を１〜３個を枡、会所の中へ入れる。
２、トユの集水器の場合；
トユや集水器の上から網袋を吊るす。この場合、トユや集水器の中に落ち葉や土がつまって、水が溜まっている場合のみとする。水の量が少ないために本考案の粘土板１〜２個で十分である。
３、水の入ったバケツの場合；
バケツの開口部より本考案を入れる。または、本考案を入れた網袋を吊るす。本考案の粘土板を数個入れる。ただし、生活用水の場合は避ける。
４、植木鉢の集合体や受け皿の場合；
植木鉢の集合体の水たまりや受け皿の水の中に本考案を入れる。または、本考案を入れた網袋を吊るす。直径２５ｃｍ×水深２ｃｍの場合、水が少ないために本考案の粘土板１〜２個で十分である。
５、側溝の場合；
側溝の水たまりに本考案を入れる。または、本考案を入れた網袋を入れる。幅３０ｃｍ×深さ３ｃｍ、流速０．０５／秒（１時間あたり水量約１．６ｍ３）の場合、９〜２０個を側溝に投入する。
６、小さい池、ドブ川；
池、ドブ川に本考案を数１０個入れる。または、本考案の入った網袋を吊るして置くが大きさや水深などにより、使用投入量を増減する。流水域の場合は１ｍ３に付き６〜１２個（有効成分０．０３〜０．０６ＰＰＭ）を発生場所にそのまま投入する。静止水域の場合、水量１ｍ３につき３個（有効成分０．０１５ＰＰＭ）を投入する。
ただし、養殖池、井戸、地下水などを汚染するおそれのある場所や蜜蜂、蚕（桑）などに被害を及ぼす恐れのある場所では使用しない。更に、本考案を扱う時は手袋、マスクなどを着け、できるだけ吸い込まないようにすることや皮膚に付いた時は、石鹸水でよく洗い、口に入った時には水でうがいをすること。目に入った場合は、直ちに水でよく洗い、よく手入れをしておくことが必要である。
【産業上の利用可能性】
【００１２】水のある場所は蚊が発生する。蚊は多くの重大な病気、例えばマラリア、日本脳炎、西ナイル熱、デング熱、チクングニア熱、ジカ熱など恐ろしい病気を媒介する有害な虫である。本考案は蚊の増加を防ぐことは蚊が媒介する諸種の恐ろしい病気を防止し、抑えることができるとともに蚊に刺されて惹起される不快な痒感を避けられることにより、人間が毎日快適な生活をして生きてゆく上で多大な貢献をする。
【図１】
0003206067.tif 000003
【図２】
0003206067.tif 000004
【図３】
0003206067.tif 000005
【図４】
0003206067.tif 000006
【図５】
0003206067.tif 000007
【図６】
0003206067.tif 000008
【図７】
0003206067.tif 000009
【図８】
0003206067.tif 000010
【図９】
0003206067.tif 000011